【手続補正書】
【提出日】平成18年5月15日(2006.5.15)
【手続補正１】
【補正対象書類名】明細書
【補正対象項目名】特許請求の範囲
【補正方法】変更
【補正の内容】
【特許請求の範囲】
【請求項１】  第１フレーム周波数を有する標準ビデオ信号を、より高い第２フレーム周波数を有する転換ビデオ信号に転換するためのビデオ・フレーム周波数コンバータに於て、
前記標準ビデオ信号を受信するためのコンバータ入力口と、
前記第２フレーム周波数を有する加速されたビデオ信号を前記標準ビデオ信号から生成するための加速信号生成手段と、
挿入フレーム制御信号の制御によって、少なくとも１個のフレームを、現存する前記加速されたビデオ信号のシーケンスの中に挿入して、予め設定された期間を有する前記シーケンスの中のフレームの数を増すための挿入手段であって、前記挿入手段が、前記第２フレーム周波数を有する前記転換ビデオ信号を出力するものと、また、
前記転換ビデオ信号を提供するためのコンバータ出力と、
から成り、さらに、
前記標準ビデオ信号の現存するフレームのシーケンスにおける動きを分析することによって、前記少なくとも１個のフレームを前記現存するフレームのシーケンスに加えるのに適した最良の瞬間を検出するフレーム挿入検出手段を備えており、当該フレーム挿入検出手段は、前記最良の瞬間が検出された際に、前記挿入フレーム制御信号を生成する構成とされている、ビデオ・フレーム周波数コンバータ。
【請求項２】  現存する時間的に隣接するフレームの補間によって、少なくとも１個の新しく補間されたフレームを生成するためのフレーム補間装置手段から更に成り、前記少なくとも１個の新しく補間されたフレームが、第１フレーム周波数を前記第２フレーム周波数に増やすために、前記現存するフレームのシーケンスに挿入するための前記挿入手段により使用されるものであることを特徴とする、請求項１に記載のビデオ・フレーム周波数コンバータ。
【請求項３】  前記補間が、また空間的に実行され、また前記新しく補間されたフレームを作るために、隣接するフレームを時間的に補間する前に、垂直に隣接するピクセルを補間することから成ることを特徴とする、請求項２に記載のビデオ・フレーム周波数コンバータ。
【請求項４】  更に、前記標準ビデオ信号に対応する周波数を有する第１同期化信号および前記転換ビデオ信号に対応する周波数を有する第２同期化信号を提供するためのクロック生成・フィールド同期化手段と、
１から始めて、現存するフレームの前記シーケンスの中に構成されているフレームの数までフレームをカウントするためと、またシーケンスの終わりの信号を、シーケンスの終わりのカウントが起こったときに、前記フレーム挿入検出装置に提供するためのフレーム・カウンタ手段と、を備えており、
前記加速信号生成手段が、前記標準ビデオ信号の前記現存するビデオ信号を保存するためのバッファー・メモリー手段を含んでおり、前記バッファー・メモリー手段は、前記コンバータ入力口から前記標準ビデオ信号を直接受信し、その受信速度は、前記バッファー・メモリー手段が前記クロック生成・フィールド同期化手段から受信する前記第１同期化信号の受信速度と対応するものであり、さらに前記バッファー・メモリー手段は、自身が受信する前記第２同期化信号に基づいて、前記第２フレーム周波数を有する前記標準ビデオ信号からなる加速されたビデオ信号をバッファー・メモリー出力口から出力するとともに、当該出力を制御すべく、前記フレーム挿入検出装置手段からの前記挿入フレーム制御信号を受信する構成とされていることを特徴とする、請求項２に記載のビデオ・フレーム周波数コンバータ。
【請求項５】  前記挿入フレーム制御信号が、前記フレーム挿入検出装置手段により提供されると、直ちに、前記バッファー・メモリー手段が、前記加速されたビデオ信号を前記第２フレーム周波数に対応する速度で連続的に出力するか、あるいは、前記加速されたビデオ信号を出力することを停止するかの何れかを行うことで、新しい補間されたフレームを加えるために最良の瞬間が起こったときに、前記挿入フレーム制御信号に基づき、前記バッファー・メモリー手段が、フレームを出力することをスキップすることを特徴とする、請求項４に記載のビデオ・フレーム周波数コンバータ。
【請求項６】  前記フレーム挿入手段が、２個の入力口と１個の出力口を有するマルチプレクサであり、第１入力口が、前記第２同期化信号に従って、前記バッファー・メモリー手段により出力された、前記加速されたビデオ信号を受信し、また前記第２入力口が、前記新しい補間されたフレームを、前記フレーム補間装置手段から受信し、前記挿入フレーム制御信号が、前記フレーム挿入手段により提供されたら、直ちに前記マルチプレクサが、前記第１入力口の所で受信された前記加速されたビデオ信号の一つと、また前記第２入力口の所で受信された前記補間されたフレームを出力することで、前記現存するフレームのシーケンスに加えられた前記新しく補間されたフレームが、信号のフレーム周波数を増やすことを特徴とする、請求項５に記載のビデオ・フレーム周波数コンバータ。
【請求項７】  前記挿入フレーム制御信号が制御されると、直ちに前記バッファー・メモリー手段が、前記現存するフレームを、所定の時間の間出力することを停止して、少なくとも１個の現存するフレームが、スキップされ、また前記期間の間隔で、前記挿入フレーム制御信号が、制御されたら、直ちに、前記マルチプレクサが、前記フレーム補間装置手段からスキップされたフレームの数以上の新しい補間されたフレームの数を受け入れて、前記現存するフレームの代わりに前記新しい補間されたフレームを出力して、フレームを前記現存するフレームのシーケンスの中に加えることを特徴とする、請求項６に記載のビデオ・フレーム周波数コンバータ。
【請求項８】  前記標準ビデオ信号が、標準のインターレース化されたビデオ信号であることと、
前記標準のインターレース化されたビデオ信号の前記第１フレーム周波数が、毎秒約５９．９４個のフィールドであることと、
前記転換ビデオ信号が、インターレース化された中間ビデオ信号であることと、
前記インターレース化されたビデオ信号の前記第２フレーム周波数が、約６０．００Ｈｚであることと、また、
現存するフレームの前記シーケンスが、１０００個のビデオ・フレームから成り、また前記第１フレーム周波数を増やすために、１個の新しく補間されたフレームが、前記現存する１０００個のシーケンスに加えられることを特徴とする、請求項７に記載のビデオ・フレーム周波数コンバータ。
【請求項９】  前記時間間隔が、１個のフレームの期間と等しく、前記バッファー・メモリー手段が、１個のフレームの前記期間、現存するフレームを出力することを停止することで、前記現存するフレームの前記シーケンスの中の１個の現存するフレームを、スキップして、前記マルチプレクサが、前記時間間隔の間に、前記１個の現存するフレームの代わりに、新しい２個の補間されたフレームを受け入れることを特徴とする、請求項８に記載のビデオ・フレーム周波数コンバータ。
【請求項１０】  前記現存するフレームが、２個の現存するビデオ・フィールドから成り、前記新しく補間されたフレームの各々が、２個の補間されたビデオ信号から成ることを特徴とする、請求項９に記載のビデオ・フレーム周波数コンバータ。
【請求項１１】  前記２つの補間されたフィールドはいずれも、少なくとも２個の縦方向に隣接する現存するピクセルの中に含まれる情報を用いて補間された各ピクセルについて、１ピクセルずつ算出されることを特徴とする、請求項１０に記載のビデオ・フレーム周波数コンバータ。
【請求項１２】  前記フレーム挿入検出装置手段が、
ビデオ・フレームのシーケンスの運動レベルを示す、ビデオ画像の移行運動指数を計算するための移行運動指数計算機と、
ビデオ信号の前記シーケンスの中で急激な変化が起きたときに、第１挿入フレーム制御信号を提供するためのシーン変化検出装置であって、前記急激な変化が、シーンの変化を示し、前記シーン変化検出装置が、直接に移行運動指数を前記装置の入力口の所で受信するものと、
閾値装置の入力口の所で、前記移行運動指数により遅い変化が示されたかあるいは変化が全く示されなかったとき、第２挿入フレーム制御信号を提供するための固定された閾値装置と、
シーケンス移行運動速度の降下が検出されたとき、第３挿入フレーム制御信号を提供するための適応閾値装置であって、前記適応閾値装置が、移行運動速度が一定あるいはほぼ一定であるような以前のビデオ・フレームのシーケンスを使用して、平均移行運動指数を計算するものであり、また前記平均移行運動を、前記移行運動指数計算機から受信された前記移行運動指数と比較し、前記第３挿入フレーム制御信号が、前記平均移行運動指数が、前記移行運動指数計算機から受信された前記移行運動指数より低いときに出力されるものと、
１０００個のフレームのシーケンスの中のフレームを計算して、１０００個のカウントに達したときに、第４挿入フレーム信号を提供するためのカウント検出装置と、
前記第１、第２、第３、および第４挿入フレーム信号のうち少なくとも１つが出力されたとき、中間挿入フレーム信号を出力するための論理ＯＲゲートと、また
前記論理ＯＲゲートからの出力と、また前記カウント検出装置からのカウント＝０信号を受信する論理デバイスであって、前記カウント＝０信号が、前記論理デバイスをリセットして、前記デバイスが、１０００個のフレームのシーケンス毎に１つだけ挿入フレーム信号を出力するのに使用されるものと、
から成ることを特徴とする、請求項１１に記載のビデオ・フレーム周波数コンバータ。
【請求項１３】  第１フレーム周波数を有する標準ビデオ信号を、より高い第２フレーム周波数を有する中間ビデオ信号に転換するための方法に於て、
i)前記標準ビデオ信号を、前記第１フレーム周波数から前記第２フレーム周波数に加速して、加速されたビデオ信号を生成するステップと、
ii)前記フレーム挿入制御信号が、制御されたら、直ちに、少なくとも１個のフレームを、現存するフレームのシーケンスの中に追加して、前記中間ビデオ信号を生成するステップと、
を含むものであって、前記ステップii)の前にさらに、
ａ）現存するフレームの前記シーケンスの中へ前記少なくとも１つのフレームを加えるための最良の瞬間を検知するために、および、前記フレーム挿入制御信号を作り出すために、前記標準ビデオ信号の現存するフレームの前記シーケンスの動きを分析するステップと、
を含むことを特徴とする、ビデオ・フレーム周波数転換の方法。
【請求項１４】  空間的および時間的に隣接した複数のピクセルであって、時間的に隣接するフレームの中または現在のフレームの中に含まれるピクセルのうち、少なくとも一つを補間することにより、新しいフレームピクセルを計算することで、少なくとも１個の新しい補間されたフレームを生成するステップを更に含むことを特徴とする、請求項１３に記載のビデオ・フレーム周波数転換の方法。
【請求項１５】  少なくとも１個のフレームを追加する上記ステップが、
前記フレーム挿入制御信号が、制御されたら、直ちに、前記加速されたビデオ信号からの少なくとも１個のフレームをスキップすることと、
前記フレーム挿入制御信号が、制御されたら、直ちに、前記少なくとも１個のスキップされたフレームの代わりに、少なくとも２個のフレームを挿入して、前記シーケンスの中のフレームの数を増やすことから成ることを特徴とする、請求項１３に記載のビデオ・フレーム周波数転換の方法。
【請求項１６】  前記フレーム挿入制御信号が、制御されたら、直ちに、前記加速されたビデオ信号からの少なくとも１個のフレームをスキップするステップと、
前記フレーム挿入制御信号が、制御されたら、直ちに、前記少なくとも１個のスキップされたフレームの代わりに、少なくとも２個のフレームを挿入して、前記シーケンスの中のフレームの数を増やすステップと、を更に含む、請求項１４に記載のビデオ・フレーム周波数転換の方法。
【請求項１７】  前記標準ビデオ信号はインターレースされた標準ビデオ信号であり、前記転換ビデオ信号はインターレースされた中間ビデオ信号であり、前記加速されたビデオ信号はインターレースされた加速ビデオ信号であり、前記挿入手段によって挿入された前記少なくとも１つのフレームは、少なくとも２つの新しい補間されたフィールドから成る構成において、
前記インターレースされた標準ビデオ信号の現存する隣接するフィールドの補間によって、前記少なくとも２つの新しい補間されたフィールドを作り出すフレーム補間手段を更に備える、請求項１に記載のビデオ・フレーム周波数コンバータ。
【請求項１８】  前記補間は時間的および空間的であり、前記フレーム補間手段は、新しい補間されたフィールドのうちの時間的に隣接するフィールドを空間的に補間したものの少なくとも１つから収集された情報を用いて、前記補間されたフィールドを１画素ずつ作り出す、請求項１７に記載のビデオ・フレーム周波数コンバータ。
【請求項１９】  前記インターレースされた標準ビデオ信号に対応する周波数を有する第１同期化信号、および、前記インターレースされた中間ビデオ信号に対応する周波数を有する第２同期化信号を提供するためのクロック生成・フィールド同期化手段を更に備える構成において、
前記加速信号生成手段は、前記インターレースされた標準ビデオ信号の前記現存するビデオ・フレームを格納するためのバッファー・メモリー手段を有し、前記バッファー・メモリー手段は、前記クロック生成・フィールド同期化手段から前記バッファー・メモリー手段によって受け取られた前記第１同期化信号に対応する速度で前記入力から前記標準のインターレースされたビデオ信号を直接受け取り、前記バッファー・メモリー手段は、前記第２フレーム周波数を有する前記インターレースされた標準ビデオ信号からなるインターレースされた加速ビデオ信号を、前記バッファー・メモリー手段によって受け取られた前記第２同期化信号に従ってバッファー・メモリー出力において出力し、前記バッファー・メモリー手段は前記バッファー・メモリー出力を制御するために前記フレーム挿入検出手段から前記挿入フレーム制御信号を受け取ることを特徴とする、請求項１８に記載のビデオ・フレーム周波数コンバータ。
【請求項２０】  前記フレーム挿入手段が、２個の入力口と１個の出力口を有するマルチプレクサであり、第１入力口が、前記第２同期化信号に従って、前記バッファー・メモリー手段から出力された、前記インターレースされた加速ビデオ信号を受信し、また前記第２入力口が、前記新しい補間されたフレームを、前記フレーム補間装置手段から受信するとともに、前記マルチプレクサが、前記第１出力口の所で受信された前記インターレースされた加速ビデオ信号および前記第２入力口の所で受信された前記フレーム補間されたフレームのうちの１つを出力することにより、前記現存するフレームのシーケンスに加えられた前記新しく補間されたフレームが、信号のフレーム周波数を増やすことを特徴とする、請求項１９に記載のビデオ・フレーム周波数コンバータ。
【請求項２１】  前記インターレースされた標準ビデオ信号の前記第１フレーム周波数が、毎秒約５９．９４個のフィールドであることと、
前記インターレースされた中間ビデオ信号の前記第２フレーム周波数が、約６０．００Ｈｚであることと、また、
前記現存するフレームのシーケンスが、１０００個のビデオ・フレームから成り、前記第１フレーム周波数を増やすために、１個の新しい補間されたフレームが、現存する１０００個のフレームからなる前記シーケンスの各々に加えられることを特徴とする、請求項２０に記載のビデオ・フレーム周波数コンバータ。
【請求項２２】  前記バッファー・メモリー手段が、１個のフレームの期間、現存するフレームを出力することを停止して、現存するフレームの前記シーケンスから１個の現存するフレームをスキップし、前記マルチプレクサが、前記現存するフレームのシーケンスの期間中、２個の新しく補間されたフレームを、前記１個の現存するフレームの代わりに受け入れることを特徴とする、請求項２１に記載のビデオ・フレーム周波数コンバータ。
【請求項２３】  前記現存するフレームの各々が、２個の現存するフィールドから成り、前記新しく補間されたフレームが、２個の補間されたビデオ・フィールドから成ることを特徴とする、請求項２２に記載のビデオ・フレーム周波数コンバータ。
【請求項２４】  前記２つの補間されたフィールドはいずれも、少なくとも２個の縦方向に隣接する現存するピクセルの中に含まれる情報を用いて補間された各ピクセルについて、１ピクセルずつ算出されることを特徴とする、請求項２３に記載のビデオ・フレーム周波数コンバータ。
【請求項２５】  一組の予め定義された方向から、少なくとも１つの最良の方向を検出し、前記最良の方向の空間的−時間的補間を実行するために使用される空間的方向制御信号を生成するためにビデオのインターレース解除装置において使用されるエッジ方向検出装置であって、
入力口で受信した過去、現在及び将来のビデオ・フィールド信号を用いて、前記予め定義された方向のそれぞれに対して補間を実行するとともに、前記予め定義された方向の各々および各ピクセルについての信号からなる、補間された信号を出力する方向補間装置手段と、
前記方向補間装置手段から受信した前記補間された信号を用いて、補間のための前記少なくとも１つの最良の方向を選択するエッジ方向セレクタ手段と、を備えることを特徴とするエッジ方向検出装置。
【請求項２６】  前記過去、現在及び将来のビデオ・フィールド信号が輝度ビデオ信号であるエッジ方向検出装置であって、さらに、
前記補間されたビデオ信号のノイズ除去および水平エッジ強調のために設けられているとともに、入力口で前記補間された信号を受信し、且つ、訂正された補間信号を前記エッジ方向セレクタ手段に出力するエッジ方向計算機兼フィルター手段と、
エッジ方向評価プロセスの際に生じるエラーの原因となりうる高周波領域を前記補間信号において検出するとともに、入力口で前記補間信号を受信した後、前記予め定義された方向の各々に対する前記高周波領域を示す高周波情報信号を前記エッジ方向セレクタ手段に出力する水平・垂直高周波検出装置手段と、
前記エッジ方向検出装置手段により出力された結果を濾波および強化するためのエッジ・バイナリー・フィルター手段と、
補間に使用されるべき１つの最良の方向を選択するための方向判定手段と、を備えている請求項２５に記載のエッジ方向検出装置。
【請求項２７】  前記ビデオ・フィールド信号を補間するために用いられる前記予め定義された方向は、補間されるべきピクセルの位置に原点を有し且つ水平な第１軸を有する浮動基準システムにおいて、約±４度、±７度、±３０度、±４５度および＋９０度の角度を形成することを特徴とする、請求項２５に記載のエッジ方向検出装置。
【請求項２８】  前記方向補間装置手段が、前記補間された信号であって以下の式、すなわち、
【数１】
2002510946.tif 000001
で定義される信号を出力する構成であって、上記式において、
ＳＳＴは、前記予め定義された方向の各々に関連する第１の補間輝度信号であり、
Ａ±ｉは、前記浮動基準システムの原点が補間されるべきピクセルに在る場合において、前記補間されるべきピクセルを含んでいる、現フィールドの線のピクセル±ｉの値であり、
Ａ'±ｉは、同じく前記浮動基準システムの原点が補間されるべきピクセルに在る場合において、前記補間されるべきピクセルに隣接している、現フィールドの線のピクセル±ｉの値であり、
Ｂ０は、前記補間されるべきピクセルに空間的に対応している次のフィールドのピクセル値であり、
Ｃ０は、前記補間されるべきピクセルに空間的に対応している前のフィールドのピクセル値であり、
Ｄ±ｉは、前記浮動基準システムの原点が前記補間されるべきピクセルに対応する次のフィールドのピクセルに在る場合において、前記次のフィールドの前記ピクセルを含む次フィールド線に隣接している次フィールド先行線のピクセル±ｉの値であり、
Ｄ'±ｉは、同じく前記浮動基準システムの原点が前記補間されるべきピクセルに対応する次のフィールドのピクセルに在る場合において、前記次フィールド線に隣接している次フィールド後行線のピクセル±ｉの値であり、
Ｅ±ｉは、前記浮動基準システムの原点が前記補間されるべきピクセルに対応する先行フィールドのピクセルに在る場合において、前記先行フィールドの前記ピクセルを含む先行フィールド線に隣接している先行フィールド先行線のピクセル±ｉの値であり、
Ｅ'±ｉは、同じく前記浮動基準システムの原点が前記補間されるべきピクセルに対応する先行フィールドのピクセルに在る場合において、前記先行フィールド線に隣接している先行フィールド後行線のピクセル±ｉの値であり、
Ｆ０は、＋９０度方向においてピクセルＡ０に隣接している、現在のフィールドのピクセルの値であり、
Ｆ'０は、９０度方向においてＡ'０に対応するピクセルに隣接している、現在のフィールドのピクセルの値であり、
Ｇ０は、＋９０度方向においてＤ０に隣接している、将来のフィールドのピクセルの値であり、
Ｇ'０は、−９０度方向においてＤ'０に隣接している、将来のフィールドのピクセルの値であり、
Ｈ０は、＋９０度方向においてＥ０に隣接している、過去のフィールドのピクセルの値であり、
Ｈ'０は、−９０度方向においてＥ'０に隣接している、将来のフィールドのピクセルの値である、請求項２５に記載のエッジ方向検出装置。
【請求項２９】  前記標準ビデオ信号はインターレースされた標準ビデオ信号であり、前記転換ビデオ信号はプログレッシブＨＤＴＶビデオ信号であり、前記加速されたビデオ信号はインターレースされた加速ビデオ信号であり、前記挿入手段によって挿入された前記少なくとも１つのフレームは少なくとも２つの新しい補間されたフィールドに含まれる、ビデオ・フレーム周波数コンバータであって、さらに、
前記インターレースされた標準ビデオ信号の現存する隣接フィールドの補間によって、前記少なくとも２つの新しい補間されたフィールドを作り出すフレーム補間手段と、
前記インターレースされた中間ビデオ信号を受信する入力口を有するとともに、前記プログレッシブＨＤＴＶビデオ信号を生成するサイズ変更器を有しているビデオのインターレース解除装置において使用されるエッジ方向検出装置と、を備える構成において、
前記エッジ方向検出装置は、一組の予め定義された方向から少なくとも１つの最良の方向を検出し、この最良の方向において空間的−時間的補間を実行するために使用される空間的方向制御信号を生成する構成とされており、さらに前記エッジ方向検出装置は、方向補間手段及びエッジ方向セレクタ手段を含んでおり、このうち前記方向補間手段は、入力口で受信した過去、現在及び将来のビデオ・フィールド信号を利用して前記予め定義された方向の各々に対する補間を行うとともに、各ピクセルおよび予め定義された各方向に対して補間された複数の信号を含む補間信号を出力し、前記エッジ方向セレクタ手段は、前記少なくとも１つの最良の方向を選択するとともに、前記方向補間手段から受信した前記補間された信号を利用して補間を行う、請求項１に記載のビデオ・フレーム周波数コンバータ。
【請求項３０】  前記過去、現在及び将来のビデオ・フィールド信号が、輝度ビデオ信号である構成において、前記エッジ方向検出装置が更に、
前記補間されたビデオ信号のノイズ除去及び水平エッジ強調のために設けられているとともに、前記補間された信号を入力口で受信した後、訂正された補間信号を前記エッジ方向セレクタ手段に出力する構成とされたエッジ方向計算機兼フィルター手段と、
エッジ方向評価プロセスの際に生じるエラーの原因となりうる高周波領域を前記補間信号において検出するとともに、入力口で前記補間信号を受信した後、前記予め定義された方向の各々に対する前記高周波領域を示す高周波情報信号を前記エッジ方向セレクタ手段に出力する水平・垂直高周波検出装置手段と、
前記エッジ方向検出装置手段により出力された結果を濾波および強化するためのエッジ・バイナリー・フィルター手段と、
補間に使用されるべき１つの最良の方向を選択するための方向判定手段と、を備える、請求項２９に記載のビデオ・フレーム周波数コンバータ。
【請求項３１】  前記ビデオ・フィールド信号を補間するために用いられる前記予め定義された方向は、補間されるべきピクセルの位置に原点を有し且つ水平な第１軸を有する浮動基準システムにおいて、約±４度、±７度、±３０度、±４５度および＋９０度の角度を形成する構成とされており、また前記方向補間装置手段は、前記補間された信号であって以下の式、すなわち、
【数２】
2002510946.tif 000002
で定義される信号を出力する構成であって、上記式において、
ＳＳＴは、前記予め定義された方向の各々に関連する第１の補間輝度信号であり、
Ａ±ｉは、前記浮動基準システムの原点が補間されるべきピクセルに在る場合において、前記補間されるべきピクセルを含んでいる、現フィールドの線のピクセル±ｉの値であり、
Ａ'±ｉは、同じく前記浮動基準システムの原点が補間されるべきピクセルに在る場合において、前記補間されるべきピクセルに隣接している、現フィールドの線のピクセル±ｉの値であり、
Ｂ０は、前記補間されるべきピクセルに空間的に対応している次のフィールドのピクセル値であり、
Ｃ０は、前記補間されるべきピクセルに空間的に対応している前のフィールドのピクセル値であり、
Ｄ±ｉは、前記浮動基準システムの原点が前記補間されるべきピクセルに対応する次のフィールドのピクセルに在る場合において、前記次のフィールドの前記ピクセルを含む次フィールド線に隣接している次フィールド先行線のピクセル±ｉの値であり、
Ｄ'±ｉは、同じく前記浮動基準システムの原点が前記補間されるべきピクセルに対応する次のフィールドのピクセルに在る場合において、前記次フィールド線に隣接している次フィールド後行線のピクセル±ｉの値であり、
Ｅ±ｉは、前記浮動基準システムの原点が前記補間されるべきピクセルに対応する先行フィールドのピクセルに在る場合において、前記先行フィールドの前記ピクセルを含む先行フィールド線に隣接している先行フィールド先行線のピクセル±ｉの値であり、
Ｅ'±ｉは、同じく前記浮動基準システムの原点が前記補間されるべきピクセルに対応する先行フィールドのピクセルに在る場合において、前記先行フィールド線に隣接している先行フィールド後行線のピクセル±ｉの値であり、
Ｆ０は、＋９０度方向においてピクセルＡ０に隣接している、現在のフィールドのピクセルの値であり、
Ｆ'０は、９０度方向においてＡ'０に対応するピクセルに隣接している、現在のフィールドのピクセルの値であり、
Ｇ０は、＋９０度方向においてＤ０に隣接している、将来のフィールドのピクセルの値であり、
Ｇ'０は、−９０度方向においてＤ'０に隣接している、将来のフィールドのピクセルの値であり、
Ｈ０は、＋９０度方向においてＥ０に隣接している、過去のフィールドのピクセルの値であり、
Ｈ'０は、−９０度方向においてＥ'０に隣接している、将来のフィールドのピクセルの値である、請求項３０に記載のビデオ・フレーム周波数コンバータ。